(57)【要約】【課題】  薬草、希有鉱物相乗作用の混合蒸気発生装置により高齢者、中高年、子供、介護部屋、寝たきり高齢者の健康維持素材の製造方法を提供する。【解決手段】高齢者から子供や介護部屋、寝たきり高齢者に至る迄の健康維持を保つ為には、毎日簡単に取り扱い可能で尚、薬害や公害が絶対に起きない様に考慮に入れなければ成らない、薬草や希有鉱物、鉄を主原料にするフェライト、アパタイト(カルシウム)は薬害の心配も無く安価で長期間使用できる、蒸気風呂、家庭風呂、サウナ、介護施設、寝たきり高齢者に設置するとその特色が現れる、薬草、希有鉱物相乗効果が最大の機能を発揮するものである、尚、素材は十分に吟味し装置に混入すると使用者の目的に合った効果を得ることができる、老人社会と言われる現在広く社会に貢献できる発明である。【選択図】    図１
2008178621.tif 000002
【特許請求の範囲】
【請求項１】
薬草、希有鉱物相乗作用混合蒸気発生装置は（１）装置ヒーター温風機室、（２）装置薬草等貯蔵室、（３）装置希有鉱物等混合貯蔵室、（４）装置薬草臭と希有鉱物混合蒸気発送用ホースと分散機、（５）混合蒸気発生装置の設置場所、家庭風呂、業務用風呂、サウナ室、介護部屋に設置する、（２）装置（３）装置単独設置可能な特徴を持つ、薬草、希有鉱物相乗作用の混合蒸気発生装置により、高齢者、中高年、子供の健康維持素材の製造方法。
【請求項２】
請求項1記載に係わる薬草、希有鉱物相乗作用の混合蒸気発生装置の群より選ばれた(2)装置を選び、薬草類と緑茶、ロースヒップス、精神安定芳香剤とし、ハッカ油、ヒノキ油をセラミックスに含浸させると長期間持続する、必要選定した前装置空気が薬草室通過で薬草臭に変化することを特徴、請求項１記載内容の薬草、希有鉱物相乗作用の混合蒸気発生装置により高齢者、中高年、子供の健康維持素材の製造方法。
【請求項３】
請求項1記載に係わる薬草、希有鉱物相乗作用の混合蒸気発生装置の群より選ばれた（３）装置を選び、フェライト、希有鉱物、殺菌するセラミックス、アパタイト、より選び酸素や希ガスの発生湿度を充分に与え、前装置の空気が希有鉱物室通過で混合蒸気に変わり、有害菌も殺菌完備蒸気になることを特徴する、請求項1記載内容の薬草、希有鉱物相乗作用の混合蒸気発生装置により高齢者、中高年、子供の健康維持素材の製造方法。
【請求項４】
請求項1記載に係わる薬草、希有鉱物相乗作用の混合蒸気発生装置の群より選ばれた（４）装置を選び、前装置の混合蒸気を運ぶホース、一般は噴気盤を湯船に投入すると皮膚呼吸治療効果を高める、薬草と希有鉱物を吟味選定し混合蒸気を作り出すことが特徴である、請求項1記載内容の薬草、希有鉱物相乗作用の混合蒸気発生装置により高齢者、中高年、子供の健康維持素材の製造方法。
【請求項５】
請求項1記載に係わる薬草、希有鉱物相乗作用の混合蒸気発生装置の群より選ばれた、全装置機能により介護部屋、寝たきり高齢者の部屋に、送られる混合蒸気の水分を少なく、噴気盤の霧は小さく室内に吹き込む方法と、噴気盤をベットの下より上向きに設置し室内を殺菌する、特にこの場合はハッカ油等で精神安定治療効果と希有鉱物の中で強力なエネルギーを持つ鉱石を選び混入すると、高齢化社会の健康維持を保つ装置である、請求項1記載内容の薬草、希有鉱物相乗作用の混合蒸気発生装置により高齢者、中高年、子供の健康維持素材の製造方法。
【発明の詳細な説明】
【技術分野】
【０００１】
本発明の薬草、希有鉱物の相乗効果のある混合蒸気発生装置により、薬草臭や精神安定芳香剤と酸素及び希有ガスの発生により高齢者、健康維持や中高年の環境公害病、それに交わる子供の小児喘息などの治療効果を表す混合蒸気発生装置により、社会に役立つ製造方法に関するものである。
【背景技術】
【０００２】
従来の方法は薬草風呂、芳香剤を湯船に入れて香を出す、外の空気を浴槽内に取り入れ噴気盤で外の冷たい空気を湯船の中に出すので体が冷え込む。
【０００３】
【特許文献１】特開平１０−３３６３０
【発明の開示】
【発明が解決しようとする課題】
【０００４】
従来の装置（Ａ）薬草風呂は湯船の中に直接薬草を入れる為湯が濁り不潔（Ｂ）芳香剤は直接湯に混ぜる為匂いが発散し直ぐに駄目になる。
【０００５】
従来の装置はさらに空気の圧力が強い為に湯船の温度がすぐに下がる、そして空気圧が強い為、湯船の中に気泡が大きく出てくる、いずれ気泡を強くするのは気泡で肌を刺激する為である。
【０００６】
従来の技術では昨今騒がれている、レジオネラ属菌が気泡の中に住み着く恐れあり、湯船の中で泡がはじれた時、人の口や鼻から進入する恐れあり、不健康の人は要注意とされている。
【課題を解決するための手段】
【０００７】
上記課題を解決するために、本発明の高齢者、中高年、子供に至る迄の健康維持に簡単で毎日入浴するお風呂の機能を生かして、一般家庭から業務用に至る迄の健康維持を高めることが出来る混合蒸気発生装置、及び其の中に入れる素材の開発に成功した。
【０００８】
現在一般に出回っている薬草風呂、鉱泉風呂を改善し、其の機能を高める為、（１）装置より温風を緩やかに通過させる工夫が必要である。
【０００９】
前装置より送り出された温風を（２）装置の薬草の中を万遍無く均一に温風を通過させる工夫に全力を掲げて薬草臭を送り出すことが最大のポイントある。地方により薬草の種類は違うが一般にドクダミ、ゲンノショウコ、ヨモギなど、治療効果が昔より伝わりそれを参考にすること。
【００１０】
また、一例としてお茶のカテキンやローズヒップスはビタミンＥが皮膚美容に非常に効果が高い、そして子供の喘息など欠かすことが出来ない薬草である、特に、東洋医学や薬草の本を参考にすると良い。
【００１１】
次に前装置より送られた温風乾燥薬草臭交じりの空気が（３）装置に入り込む、そこでこの装置は各地の天然温泉希有鉱物をブレンドしたセラミックスに水分を十分に吸着させて装置に設置することにより各地で見られる天然温泉特有イオンが発生する。
【発明の効果】
【００１２】
上記発明の基本は現在各地で行われている、健康ランド温泉や天然温泉地で見られる希有鉱物の機能をセラミックスとして天然温泉以上の効果と安全性を高めた、混合蒸気発生装置の中に入れる素材として取り入れることに成功いたしました。
【００１３】
また、アパタイト（骨灰）をセラミックスとしてカルシウム不足の子供などに用いて健康維持とさらに治療効果を高めることが目的です。
【００１４】
そして、このシステム最大の特典は、一般に見受けられる薬草風呂と天然温泉の希有鉱物温泉の混合温泉が出来上がり、其の効果は非常に高い治療効果が期待できます。
【発明を実施するための最良の形態】
【００１５】
本発明の実施の形態について図面を参照にして説明する、図１において、混合蒸気発生装置にて（１）装置の  １,空気の出入り口。  ２,外箱全てブリキ製が良い。  ３,外壁に熱を持たせない耐熱盤が必要。  ４,熱量、強弱が必要になる為に送風機かコンプレーサーが必要。  ５，電熱ヒーター。  ６,温風の入り口。  ７,温風が通過する断熱パイプ。
【００１６】
そして、（２）装置、  ８,外箱全てブリキ製がよい。  ９,温風と薬草臭混合空気の溜まり場所。  １０,熱量が少し高い温風溜まり場所。  １１,空気通過図るためステン穴開きパンチング板。  １２,同じく上側のステン穴開きパンチング板。  １３,薬草を混合して詰め込む。  １４,温風の出口。  １５,薬草臭入り口。
【００１７】
次に、（３）装置、  １６,温風薬草臭が通過する断熱パイプ。  １７,保温する水で希有鉱物を通過する時蒸気となる。  １８,は薬草臭と希有鉱物混合蒸気が溜まる場所。１９,外箱で全てブリキ製が良い。  ２０,空気通過用ステン穴開きパンチング板。  ２１,タンク内水抜くコック。  ２２,希有鉱物、フエライト系セラミックス、殺菌するセラミックス。２３,タンク内に水を入れるパイプ口。  ２４,薬草臭、希有鉱物混合した蒸気の出口。  ２５,蒸気通過するステン穴開きパンチング板。
【００１８】
最後の（４）装置、  ２６,薬草臭と希有鉱物混合蒸気の通過する断熱パイプ。  ２７,浴室全体図。  ２８,風呂の湯が入っている状態。  ２９,送り出された薬草臭と希有鉱物の混合蒸気を分散する噴気盤。  ３０,混合蒸気が室内や湯に溶け込む。  ３１,浴室内。  ３２,薬草の出し入れする蓋。  ３３,希有鉱物、フェライト、殺菌石の出し入れ蓋。
【実施例１】
【００１９】
そして、（４）装置の２６,の薬草臭と希有鉱物混合蒸気の通過断熱パイプを介護部屋、寝たきり高齢者の部屋に取り付けることができる、そして、２９,の薬草臭と希有鉱物の混合蒸気を分散する噴気盤の霧出口を小さくし、混合蒸気の水分を少なくして分散する。
【００２０】
また、（４）装置の２６,の混合蒸気通過断熱パイプをベットの下より噴気盤を上向きに設置し、混合蒸気内の殺菌するセラミックスの量を増やし薬草、希有鉱物、ハッカ油、ヒノキ油と混合蒸気を噴気盤で噴き上げると床の上などにいる有害菌を死滅して清潔感のある部屋となり、更に強力な希有鉱物混合蒸気をベットの下より吹き上げると腰の痛い人に喜ばれる効果がある。
【実施例２】
【００２１】
本発明は、自由に選べる薬草と希有鉱物、フェライトや殺菌能力万全なセラミックスと混合し相乗効果を高めることが出来た結果による、以上説明したように構成されているので、以下に記載されるような効果を発揮する。
【００２２】
（１）装置の４,はコンプレッサーであるが送風機でも良い、出来上がる器具によって変更する場合もある。７,の温風を通過するパイプは太めの方が温風通過時に無理なく通過させる工夫が必要である。
【００２３】
（２）装置の１０,温風を薬草全体の中を均一に通過させるために是非必要部類である、
１１,のステンパンチング板は温風空気が無理なく通過する穴が開いていることが条件である、１２,の上側のハンチングは薬草臭が通過するときに薬草の粉が出る場合は木綿の生地を敷くと良い、９,の薬草臭の空洞室は混合薬草臭が均一に通過させるために必要。
【００２４】
１３,の混合薬草は基本として、ドクダミ、ゲンノショウコ、杜仲茶、日本茶、ローズヒップスなどで、１,老化防止、２,子供の皮膚病、３,中高年の疲れ回復、４,の小児喘息などに合った薬草を吟味し更に混合し袋に詰め込み、３２,の蓋を開けて丁寧に設置する。
【００２５】
混合薬草の上に精神安定と治療効果のために、ハッカ油、ハッカ脳、ヒノキ油、ヒバ油の中より好みに合わせて、揮発性のためにセラミックスに含浸させると長期間臭いが持続する、また、（２）装置の混合薬草が乾燥し過ぎる(粉になる場合)は３２,の蓋をあけて混合薬草の下に木綿生地に水分を与えて設置すると綺麗に収まる。
【００２６】
（３）装置の１７,は保温用水である、希有鉱物やフェライト系セラミックス、殺菌をするセラミックス、アパタイトは混合してはならない別別の袋に入れて設置すると必ず水分が必要である、水分が無くなると効果、効能が全くなくなります、有害菌を死滅させる能力も殆どなくなります、水分には十分に注意し完璧に効果を現す薬草臭と希有鉱物などセラミックスとの混合蒸気を充満させてください。
【００２７】
（４）装置の２６,混合蒸気通過パイプを２７,浴室や２８,の風呂の湯の中にいれて２９,の混合蒸気分散機で蒸気を押し出すと今迄に味わったことのない、温泉感覚が覚え出され健康な人も一日の疲れを取る為に大事な装置であることが実感する装置である。
【産業上の利用可能性】
【００２８】
そして、（４）装置の混合蒸気通過パイプを断熱用のホースにして混合蒸気を通過させる、噴気盤の霧は小さくし蒸気の水分は少なく噴気する方法がある、設置場所は介護部屋、寝たきり高齢者の部屋の上から噴霧する方法とベットの下より上向きに噴射する、この場合は薬草と希有鉱物機能の強力なエネルギーを持つ鉱石選び混入する、有害菌を死滅させるために殺菌するセラミックスの量を多く入れて部屋全体を清潔感のある部屋にする、また、薬臭取り除きのためと精神安定治療効果を高める、薬草、ヒノキ油、ハッカ油、ハッカ脳を吟味して混入し、ベットの下から上向き噴射は腰痛などマッサージ効果まで表れる、更に（１）装置と（２）装置組み合わせ（１）装置と（３）装置組み合わせ、単独で設置する方法もできることが高齢化社会に貢献できる発明である。
【図面の簡単な説明】
【００２９】
【図１】薬草、希有鉱物相乗作用の混合蒸気発生装置により高齢者、中高年、子供の健康維持素材の製造方法の実施例方法を示した説明図である。（実施例１）（実施例２）
【符号の説明】
【００３０】
（１装置）
１  空気の入り口。
２  外箱。
３  耐熱盤。
４  コンプレッサー。
５  電熱ヒーター。
６  温風入り口。
７  温風通過パイプ。
（２装置）
８  外箱。
９  薬臭の空洞室。
１０  温風空洞室。
１１  ステン穴開きパンチング板。
１２  上側ステン穴開きパンチング板。
１３  混合薬草、ハッカ油ヒノキ油の含浸セラミック。
１４  温風出口。
１５  薬草臭の入り口。
（３装置）
１６  薬草臭通過するパイプ。
１７  保温用水。
１８  薬草臭と希有鉱物の混合蒸気。
１９  外箱。
２０  ステン穴開きパンチング板。
２１  タンク内の水を抜くコック。
２２  希有鉱物の混合。
２３  タンク内に水を入れる口。
２４  薬草臭と希有鉱物混合蒸気出口。
２５  ステン穴開きパンチング板。
（４装置）
２６  薬草臭と希有鉱物混合蒸気の通過パイプ。
２７  浴室。
２８  風呂の湯。
２９  薬草臭と希有鉱物混合蒸気の分散盤。
３０  混合蒸気。
３１  浴室の空気内。
３２  薬草類を出しいれする蓋。
３３  希有鉱物を出しいれする蓋。
【図１】
2008178621.tif 000003